(57)【要約】【課題】  原稿のうち所望の領域にある画像情報を読み取ることのできる画像読取装置及びこのような画像読取装置を備える画像形成装置において，画像情報の読み取りに要する時間を短縮し生産性を向上させること。【解決手段】  ＡＤＦ１により原稿Ｍを，光源ユニット２３に対して副走査方向に搬送するか，コンタクトガラス２１上に載置された原稿Ｍに対して走行モータ２３２によって光源ユニット２３を副走査方向に走行させることにより，光源ユニット２３を原稿Ｍに対して原稿Ｍの副走査方向に相対移動させつつ，光源２３１から原稿Ｍに光を照射して走査する画像読取装置又はこの画像読取装置を備える画像形成装置において，原稿Ｍの副走査方向における設定領域内よりも，設定領域以外の領域にて速く光源ユニット２３を相対移動させる。【選択図】図３
2011176431.tif 000002
【特許請求の範囲】
【請求項１】
少なくとも原稿に光を照射して走査する走査手段と，該走査手段を前記原稿に対して該原稿の副走査方向に相対移動させる走査駆動手段とを備えてなる画像読取装置であって，
前記走査駆動手段は，前記走査手段を，前記原稿上の予め設定された副走査方向の設定領域内よりも，前記設定領域以外の領域において速く相対移動させることを特徴とする画像読取装置。
【請求項２】
前記走査駆動手段が，前記走査手段を，前記設定領域内において画像情報を等倍で読み取る場合に比べて遅く相対移動させる請求項１に記載の画像読取装置。
【請求項３】
前記走査駆動手段が，前記走査手段に対して前記原稿を副走査方向に順次搬送する原稿搬送手段である請求項１又は２の何れかに記載の画像読取装置。
【請求項４】
前記走査駆動手段が，原稿台に載置された原稿に対して前記走査手段を副走査方向に走行させる走行手段である請求項１又は２の何れかに記載の画像読取装置。
【請求項５】
前記設定領域が，入力された倍率と読み取り後の画像情報を出力するための用紙サイズとに基づいて，前記原稿の副走査方向の一端から指定される請求項１〜４の何れかに記載の画像読取装置。
【請求項６】
前記原稿のうち，任意の領域を前記設定領域に指定することが可能な領域指定手段を備える請求項１〜４の何れかに記載の画像読取装置。
【請求項７】
前記設定領域が，予め前記原稿に記された領域指示のマークによって指定される請求項１〜４の何れかに記載の画像読取装置。
【請求項８】
請求項１〜７の何れかに記載の画像読取装置を備える画像形成装置。
【発明の詳細な説明】
【技術分野】
【０００１】
本発明は，スキャナ等の原稿の画像情報を読み取る画像読取装置及びこのような画像読取装置を備える複写機，ファクシミリ等の画像形成装置に関するものである。
【背景技術】
【０００２】
従来，スキャナ等の原稿の画像情報を読み取る画像読取装置としては，原稿に光を照射して画像情報を走査する光源ユニットや，走査された画像情報をデジタル電気信号に変換して読み取るＣＣＤイメージセンサ等を備え，自動原稿送り装置により原稿を光源ユニットに対して副走査方向に搬送するか，コンタクトガラス（原稿台）上に載置された原稿に対して光源ユニットを副走査方向に走行させて画像情報を読み取るものが知られている。
一般に，こうした画像読取装置で原稿の画像情報を変倍して読み取る場合には，特許文献１に開示されているように，主走査方向の変倍は走査された画像情報をデジタル信号処理することにより行われ，副走査方向の変倍は自動原稿送り装置による原稿搬送速度あるいは光源ユニットの走行速度，即ち走査速度（原稿と光源ユニットの相対速度）を変更することにより行われる。つまり，縮小する場合には走査速度を速く，拡大する場合には走査速度を遅くして読み取っている。
【先行技術文献】
【特許文献】
【０００３】
【特許文献１】特開２００３−２５９０９２号公報
【発明の概要】
【発明が解決しようとする課題】
【０００４】
ところで近年では，原稿上の所望の限定された領域にある画像を拡大して読み取ることが求められている。具体的には，紙資源節約等のために１枚の用紙に２ページ分あるいは４ページ分の画像を割り付けて印刷された原稿のうち１ページ分を，読みやすくするために原稿の用紙サイズと同じサイズに拡大して読み取る場合等が挙げられる。
この場合，例えば，図５に示すようなＡ４サイズ用紙１枚に４ページ分の画像が割り付けられた原稿Ｍの１ページ分（例えばＰ１部分）をＡ４サイズに拡大（２００％拡大）して読み取るとすると，走査速度は，等倍で読み取る場合の１／２倍となる。
ここで，この拡大読み取りを，自動原稿送り装置により原稿Ｍを光源ユニットに対して副走査方向に移動させて行う場合，自動原稿送り装置による原稿搬送速度が走査速度となる。即ち，図４に示すように，この拡大読み取りを行う場合（図４の一点鎖線）の自動原稿送り装置による原稿搬送速度は等倍読み取りを行う場合（図４の破線）の１／２倍となり，原稿搬送に要する時間は等倍読み取りを行う場合の２倍となる。
この時，原稿Ｍのうち走査されるのはＰ１部分のみであり，原稿ＭのＰ１，Ｐ２部分を搬送方向（副走査方向）前方にして原稿Ｍを搬送するとすれば，搬送方向後方のＰ３，Ｐ４部分は走査されない。つまり，原稿Ｍは，図４のｓで示す間においてのみ走査され，それ以外では走査されない。しかし，従来の画像読取装置では，原稿Ｍの搬送方向後方部分においても，等倍読み取りを行う場合の走査速度の１／２倍という遅い搬送速度で原稿Ｍを搬送し続けており，原稿Ｍの搬送に時間がかかり，非常に生産性が悪いといった問題があった。
【０００５】
一方，コンタクトガラス上に載置された原稿に対して，光源ユニットを副走査方向に走行させて，原稿ＭのＰ１〜Ｐ４のような均等に割り付けられたページを拡大して読み取る場合には，読み取る部分（例えばＰ１）を光源ユニットの走行開始位置側（副走査方向前方）にして載置すれば，光源ユニットを遅い走行速度で副走査方向後方まで走行させずともＰ１部分を拡大して読み取ることは可能である。
しかし，原稿ＭのＰ１〜Ｐ４のような均等に割り付けられたページではなく，例えば原稿の中央部分にある画像情報を拡大して読み取る場合等においては，光源ユニットが走行開始位置から読み取る部分（原稿の中央部分）に到達するまでの間，原稿を走査する必要がないにも関わらず，遅い走行速度で走行し，やはり生産性が良くないといった問題がある。
【０００６】
また，画像を等倍で読み取る場合であっても，原稿の所望の限定された領域にある画像を読み取る場合には，所望の限定された領域以外の領域で原稿を走査する必要がないにも関わらず，所望の限定された領域内と同速のまま原稿の搬送あるいは光源ユニットの走行を行っており，必要以上に原稿の搬送あるいは光源ユニットの走行に時間がかかっている。例えば，自動原稿送り装置により原稿Ｍを副走査方向に移動させて，図５に示す原稿ＭのＰ１部分の画像を等倍で読み取る場合，図４の破線で示される間，同じ速度で原稿Ｍが搬送されるが，実際に走査されるのはｓ´で示す間においてのみであり，やはり生産性が良くないといった問題がある。
従って，本発明は上記事情に鑑みてなされたものであって，原稿のうち所望の限定された領域にある画像情報を読み取ることのできる画像読取装置及びこのような画像読取装置を備える画像形成装置において，画像情報の読み取りに要する時間を短縮し生産性を向上させることを解決課題とする。
【課題を解決するための手段】
【０００７】
上記課題を解決するために本発明は，少なくとも原稿に光を照射して走査する走査手段と，該走査手段を前記原稿に対して該原稿の副走査方向に相対移動させる走査駆動手段とを備えてなる画像読取装置として構成される。
そして，前記走査駆動手段が，前記走査手段を，前記原稿上の予め設定された副走査方向の設定領域内よりも，前記設定領域以外の領域において速く相対移動させることを特徴としている。
これにより，原稿上の予め設定された設定領域にある画像情報を読み取る場合において，設定領域以外の領域，即ち走査する必要のない領域では，前記走査手段を画像情報を走査する速度より速く相対移動させることができるので，それだけ走査手段の相対移動の時間すなわち画像読み取りに要する時間を短縮でき，画像読み取りの生産性を向上させることができる。
上記特徴に加え，前記走査駆動手段が，前記走査手段を，前記設定領域内において画像情報を等倍で読み取る場合に比べて遅く相対移動させることが好ましい。
このように設定すると，設定領域内の画像を拡大して読み取ることができ，設定領域以外の領域では等倍で読み取る場合と同速かそれ以上の速度で速く走査手段が相対移動する。そのため必要以上に時間をかけずに設定領域内の画像を拡大して読み取ることができる。
なお，前記走査駆動手段の具体例としては，前記走査手段に対して前記原稿を副走査方向に順次搬送することにより，走査手段を原稿に対して原稿の副走査方向に相対移動させる原稿搬送手段や，原稿台に載置された原稿に対して前記走査手段を副走査方向に走行させる走行手段が挙げられる。
【０００８】
前記設定領域は，入力された倍率と読み取り後の画像情報を出力するための用紙サイズとに基づいて，前記原稿の副走査方向の一端から指定されるようにすることが考えられる。このようにすると，例えば，１枚の用紙に２ページ分あるいは４ページ分の画像を割り付けて印刷された原稿のうち１ページ分を拡大して読み取る場合等のように，ある程度定まった領域を指定する場合に容易に設定領域を指定することができる。
また，前記原稿のうち，任意の領域を前記設定領域に指定することが可能な領域指定手段を備え，この領域指定手段により前記設定領域を指定することも考えられる。
さらに，予め前記原稿に記された領域指示のマークによって前記設定領域が指定されるようにしてもよい。
なお，本発明は上記したような画像読取装置を備える画像形成装置としても構成される。
【発明の効果】
【０００９】
本発明によると，原稿上の予め設定された設定領域にある画像情報を読み取る場合において，設定領域以外の領域，即ち走査する必要のない領域では，前記走査手段を画像情報を走査する速度より速く相対移動させることができるので，それだけ走査手段の相対移動の時間すなわち画像読み取りに要する時間を短縮でき，画像読み取りの生産性を向上させることができる。
【図面の簡単な説明】
【００１０】
【図１】本発明に係る画像読取装置の概略構成を示す模式図。
【図２】本発明に係る画像読取装置における主要構成の関係を示すブロック図。
【図３】本発明に係る画像読取装置の読み取り動作の一例を説明するフローチャート。
【図４】自動原稿送り装置による原稿搬送速度と原稿送りモータの駆動時間の関係を示すグラフ。
【図５】画像読取装置で読み取る原稿のレイアウトの一例を示す図。
【発明を実施するための形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて本発明に係る画像読取装置の概略を説明する。図１（ａ）はスキャナＸの内部構造を正面視した模式図であり，（ｂ）は（ａ）のＡ−Ａ矢視平面図である。なお，本発明は，スキャナ等の画像読取装置及び，スキャナ等の画像読取装置を備える複写機，ファクシミリ等の画像形成装置に適用することができるが，本実施形態では，図１に示すように自動原稿送り装置１を備えたスキャナＸを一例に説明する。
本実施形態に係るスキャナＸは，大別すると，装置本体２と，装置本体２の上方に配置された自動原稿送り装置１（原稿搬送手段の一例，以下「ＡＤＦ１」と称す）とにより構成されている。
ＡＤＦ１は，原稿セット部１１にセットされた一以上の原稿Ｍを原稿送りモータ１２（図２参照）で駆動される複数の搬送ローラ対１３により順次搬送して，コンタクトガラス２１上の原稿読取位置２１１を副走査方向に通過するように原稿Ｍを移動させるものである。このＡＤＦ１の内部には，移動する原稿Ｍを押さえるための原稿押さえ１４が原稿読取位置２１１に対応する位置にコンタクトガラス２１に近接して対向配置されている。また，原稿押さえ１４の原稿Ｍが送り込まれる側の近傍には，搬送された原稿Ｍの位置を検出する位置検出センサ１５が配置されている。
装置本体２の上面には原稿台として機能するコンタクトガラス２１が設けられ，正面側側面には，液晶ディスプレイ等の表示部２２１やキーボード等の操作キーを有する操作部２２が配設されている。
装置本体２の内部には，原稿Ｍに光を照射する光源２３１を備えて走行モータ２３２（図２参照，走行手段の一例）により副走査方向に走行可能な光源ユニット２３（走査手段の一例）と，入射した受光量に応じた画像信号を生成するＣＣＤイメージセンサ２４と，光源２３１から照射され原稿Ｍにて反射された反射光を光学レンズ２５を介してＣＣＤイメージセンサ２４に導くミラー２６〜２８とが適宜配設されている。また，図２に示すように，上記各部を統括的に制御する制御部２９が配設されている。
なお，走行モータ２３２や原稿送りモータ１２としては，ステッピングモータが好適に用いられるが，特に限定されるものではない。また，光源２３１としては，ＬＥＤやキセノンランプ等が用いられるが，特に限定されるものではない。
【００１２】
このスキャナＸによる画像情報の読み取りは従来の画像読取装置と特に変わるところはなく，まず，ＡＤＦ１により原稿Ｍを，原稿読取位置２１１に光を照射することができる位置に固定された状態の光源ユニット２３に対して副走査方向に搬送するか，コンタクトガラス２１上に載置された原稿Ｍに対して走行モータ２３２によって光源ユニット２３を副走査方向に走行させると共に，光源２３１から原稿Ｍに光を照射する。つまり，ＡＤＦ１あるいは走行モータ２３２を走査駆動手段として機能させて光源ユニット２３を原稿Ｍに対して原稿Ｍの副走査方向に相対移動させつつ，光源２３１から原稿Ｍに光を照射して走査する。
そして，原稿Ｍからの反射光がミラー２６〜２８及び光学レンズ２５によりＣＣＤイメージセンサ２４に導かれ，ＣＣＤイメージセンサ２４にてデジタル画像信号が生成されて読み取られる。
なお，ＣＣＤイメージセンサ２４によるデジタル画像信号の生成及び生成されたデジタル画像信号の処理については，従来の画像読取装置と特に異なるところはなく，また本発明と直接の関係はないので，ここでは説明を省略する。
このスキャナＸによる原稿Ｍの画像の拡大読み取りまたは縮小読み取りは，従来の画像読取装置と同様に，主走査方向には生成されたデジタル画像信号を処理することで行われ，副走査方向には光源ユニット２３の原稿Ｍに対する相対移動の速度，即ちＡＤＦ１による原稿Ｍの搬送速度か走行モータ２３２によって走行する光源ユニット２３の走行速度を変更することで行われる。言うまでもないが，拡大読み取りの場合は，この光源ユニット２３の原稿Ｍに対する相対移動の速度を遅く，縮小読み取りの場合は，速くする。
【００１３】
また，スキャナＸは原稿上の所望の領域（例えば図５に示す原稿ＭのＰ１部分等）を予め設定して，当該設定された領域（以下，設定領域と称す）にある画像を読み取ることができる。
設定領域は，例えば，ユーザーが操作部２２から入力した倍率と読み取り後の画像情報を出力するための用紙サイズとに基づいて，制御部２９により原稿Ｍの副走査方向の一端（ＡＤＦ１で原稿Ｍを搬送する場合は搬送方向の先端，光源ユニット２３を走行させる場合は光源ユニット２３の走行開始位置側端部）から指定されて設定されることが考えられる。このようにすると，例えば，図５に示す１枚の用紙に４ページ分の画像を割り付けて印刷された原稿Ｍのうち１ページ分を拡大して読み取る場合等のように，ある程度定まった領域を指定する場合に容易に設定領域を指定することができる。
また，ユーザーによって，原稿Ｍの任意の領域を設定領域に指定することが可能な領域指定手段を備え，これにより設定領域を指定することも考えられる。領域指定手段としては，例えば，画面上に原稿Ｍの模式図を表示させて，この模式図上の任意の２点を指示することにより設定領域を指定することが可能なタッチパネル式の表示部２２１や，原稿Ｍの用紙サイズと所望の領域の位置を原稿Ｍの端部からの距離で数値入力する操作部２２などが挙げられる。
また，さらに，予め原稿Ｍに領域を指示するマークを記しておき，このマークがＣＣＤイメージセンサ２４により検知されて設定領域が指定されるようにしてもよい。
【００１４】
スキャナＸは，設定領域にある画像を読み取る場合に，光源ユニット２３の原稿Ｍに対する相対移動の速度（ＡＤＦ１による原稿Ｍの搬送速度または光源ユニット２３の走行速度）を，その相対移動の途中で変更することを特徴としている。即ち，原稿Ｍの副走査方向における設定領域内よりも，設定領域以外の領域にて速く光源ユニット２３を相対移動させる。
詳しくは，図３のフローチャートに従って，ＡＤＦ１により原稿Ｍを副走査方向に搬送させて設定領域内の画像読み取りを行う場合を例にして，その手順を説明する。ここに，図３に示すＳ１，Ｓ２，…は処理手順（ステップ）番号を表している。
【００１５】
（ステップＳ１）
初めに，搬送速度ＶF0で，原稿Ｍの原稿送りが開始される。
この時，制御部２９は，例えば，位置検出センサ１５により検知された原稿Ｍの副走査方向前端（搬送方向前端）位置と，原稿送りモータ１２の送り量から，読取位置２１１に対する原稿Ｍの位置を確認する（図２参照）。
【００１６】
（ステップＳ２）
ステップＳ２では，制御部２９により，読取位置２１１が原稿Ｍの予め設定された設定領域内にあるかどうかが判断される。
読取位置２１１が設定領域内にはない場合，即ち設定領域以外の領域にある場合（ステップＳ２のＮｏ側），引き続き搬送速度ＶF0で，原稿Ｍの原稿送りがなされる。
読取位置２１１が設定領域内にある場合（ステップＳ２のＹｅｓ側），処理はステップＳ３へ移行する。
【００１７】
（ステップＳ３）
ステップＳ２で読取位置２１１が設定領域内にあることが確認されると，制御部２９が，原稿送りモータ１２を制御して原稿Ｍの搬送速度をＶF1（＜ＶF0）に変更し，光源２３１を点灯させることにより，走査が開始される。
この時，ステップＳ１と同様に制御部２９によって読取位置２１１に対する原稿Ｍの位置が確認される。
原稿Ｍの搬送速度がＶF1に変更され，走査が開始されると，ステップＳ４の処理へ移行する。
【００１８】
（ステップＳ４）
ステップＳ４では，ステップＳ２と同様に制御部２９により，読取位置２１１が原稿Ｍの予め設定された設定領域内にあるかどうかが判断される。
読取位置２１１が設定領域内にある場合（ステップＳ４のＹｅｓ側），引き続き搬送速度ＶF1で原稿Ｍの原稿送りがなされ，原稿が走査される。
読取位置２１１が設定領域内にはない場合，即ち設定領域以外の領域にある場合（ステップＳ２のＮｏ側），処理はステップＳ５へ移行する。
【００１９】
（ステップＳ５）
ステップＳ４で読取位置２１１が設定領域以外の領域にあることが確認されると，制御部２９により光源２３１が消灯されて，走査は終了する。
ステップＳ３で走査が開始されてからステップＳ５で走査が終了するまでの間，原稿Ｍは搬送速度ＶF1で搬送されながら走査される。
そして，原稿送りモータ１２による原稿Ｍの搬送速度は制御部２９によりＶF0に戻されて，原稿Ｍは排出されるまで搬送される。
走査が終了し，原稿Ｍの搬送速度がＶF0に変更されると，ステップＳ６の処理へ移行する。
【００２０】
（ステップＳ６）
ステップＳ６では，制御部２９により原稿Ｍの排出が完了したかどうかが判断される。具体的には，位置検出センサ１５により原稿Ｍの副走査方向前端（搬送方向前端）位置を検知し，そこから排出までに必要な送り量が原稿送りモータ１２によって送られたかによって，原稿Ｍの排出が完了したかが判断される。
原稿Ｍの排出が完了していない場合，（ステップＳ６のＮｏ側），引き続き搬送速度ＶF0で，原稿Ｍの原稿送りがなされる。
原稿Ｍの排出が完了した場合，（ステップＳ６のＹｅｓ側），処理はステップＳ７へ移行する。
【００２１】
（ステップＳ７）
ステップＳ６で原稿Ｍの排出完了が確認されると，制御部２９は原稿送りモータ１２を停止させて，画像読み取り動作を終了する。
このようにして，ＡＤＦ１により原稿Ｍを副走査方向に搬送させて，原稿Ｍの予め設定された設定領域内の画像読み取りが行われる。
なお，光源２３１は原稿Ｍの原稿送りが開始されてから，原稿Ｍの排出が完了（原稿送りモータ１２が停止）するまで点灯させてもよいが，上記説明のように設定領域内でのみ点灯させるようにすると消費電力の低減に貢献できる。
【００２２】
以上のように，原稿Ｍの設定領域以外の領域における搬送速度を，設定領域内を走査するための搬送速度ＶF1より速いＶF0とすることにより，原稿Ｍの走査する必要がない設定領域以外の領域では，原稿Ｍを速く送ることができるので，それだけ搬送に要する時間すなわち画像読み取りに要する時間を短縮でき，画像読み取りの生産性を向上させることができる。
このことは，特に設定領域の画像を拡大して読み取る場合に有効なものとなる。既述のように拡大読み取りは，原稿Ｍの搬送速度（光源ユニット２３の原稿Ｍに対する相対移動の速度）を等倍で読み取る場合の搬送速度より遅くして行われるが，図３における搬送速度ＶF0を等倍で読み取る場合の速度あるいはそれ以上の速度とし，搬送速度ＶF1を拡大して読み取る場合の速度とすれば，設定領域内においてのみ等倍で読み取る場合より搬送速度を遅くすることになる。そのため，必要以上に時間をかけずに設定領域内の画像を拡大して読み取ることができる。
例えば，図５に示すようなＡ４サイズ用紙１枚に４ページ分の画像が割り付けられた原稿Ｍの１ページ分（Ｐ１部分）をＡ４サイズに拡大（２００％拡大）して読み取る場合を考える。この場合，画像読み取りに要する時間（原稿送りモータ１２の駆動時間）は，図４に示すように従来の画像読取装置（図４の一点鎖線）では，等倍で読み取る場合（図４の破線）の２倍程度必要であったのに対して，スキャナＸ（図４の実線）では，等倍で読み取る場合の１．５倍程度に短縮することできる。
【００２３】
以上，ＡＤＦ１により原稿Ｍを副走査方向に搬送させて設定領域内の画像読み取りを行う場合の例について説明したが，走行モータ２３２によって光源ユニット２３を副走査方向に走行させて，設定領域内の画像読み取りを行う場合には，上記した手順の搬送速度ＶF0，ＶF1をそれぞれ，光源ユニット２３の走行速度ＶL0，ＶL1に置き換えれば，略同じ手順で光源ユニット２３の走行時間すなわち画像読み取りに要する時間を短縮でき，画像読み取りの生産性向上に貢献できる。なお，この場合は，ステップＳ５で走査が終了した後，原稿Ｍの副走査方向後端（光源ユニット２３の走行方向前方側の端部）まで光源ユニット２３を走行させる必要はなく，走査が終了した時点で光源ユニット２３を走行開始位置にリターンさせてもよい。
ＡＤＦ１により原稿Ｍを搬送して読み取るか，走行モータ２３２によって光源ユニット２３を副走査方向に走行させて読み取るかは，操作部２２より入力して設定するようにしてもよいが，ＡＤＦ１の原稿セット部１１に原稿がセットされているか否かを在席センサ１１１（図２参照）が検出することにより制御部２９で自動的に判断されるようにしてもよい。
【００２４】
以上，本発明に係る画像読取装置の一例として，スキャナＸについて説明したが，本発明はこのスキャナＸのような画像読取装置を備える複写機，ファクシミリ等の画像形成装置として構成されたものも含む。
【符号の説明】
【００２５】
１      自動原稿送り装置（ＡＤＦ，原稿搬送手段の一例）
１２    原稿送りモータ
２      装置本体
２１    コンタクトガラス（原稿台）
２１１  読取位置
２２    操作部
２２１  表示部
２３    光源ユニット（走査手段の一例）
２３１  光源
２３２  走行モータ（走行手段の一例）
Ｍ      原稿
Ｘ      スキャナ（画像読取装置の一例）
【図１】
2011176431.tif 000003
【図２】
2011176431.tif 000004
【図３】
2011176431.tif 000005
【図４】
2011176431.tif 000006
【図５】
2011176431.tif 000007